(57)【要約】【課題】音声記録装置における、使用者の使用勝手の向上。【解決手段】  音声を集音し第１音声信号として出力するマイク手段と、電話機と無線通信するための無線通信手段と、電話機との通信が確立している状態で、電話機に着信が有ったときに発信先を示す発信先情報を電話機から取得する発信先情報取得手段と、電話機を介して発信先の音声に基づく第２音声信号を受信する音声信号受信手段と、電話機との通信が確立している状態で、録音指示を受け付ける録音指示受付手段と、録音指示に対応して第１音声信号に基づく第１データと第２音声信号に基づく第２データをメモリに記録する記録手段を備えることを特徴とする。【選択図】図１
2014090221.tif 000002
【特許請求の範囲】
【請求項１】
音声を集音し第１音声信号として出力するマイク手段と、
電話機と無線通信するための無線通信手段と、
前記電話機との通信が確立している状態で、該電話機に着信が有ったときに発信先を示す発信先情報を該電話機から取得する発信先情報取得手段と、
前記電話機を介して発信先の音声に基づく第２音声信号を受信する音声信号受信手段と、
前記電話機との通信が確立している状態で、録音指示を受け付ける録音指示受付手段と、
前記録音指示に対応して前記第１音声信号に基づく第１データと前記第２音声信号に基づく第２データをメモリに記録する記録手段を備えることを特徴とする、音声記録装置。
【請求項２】
前記記録手段は、前記第１データと前記第２データを前記発信先情報に関連付けてファイルとして記録することを特徴とする、請求項１記載の音声記録装置。
【請求項３】
前記電話機との通信が確立している状態で、前記電話機が保持する日時情報を取得する日時情報取得手段を更に備え、
前記記録手段は、前記日時情報と前記ファイルとを関連付けて記録することを特徴とする、請求項２記載の音声記録装置。
【請求項４】
前記電話機との通信が確立している状態で、該電話機が保持する複数の発信先情報を管理する電話帳を受信する電話帳受信手段、
前記電話機に着信が有ったときに前記発信先情報取得手段から取得した前記発信先情報と前記電話帳に管理されている複数の発信先情報とを照合し、照合結果に応じた態様で報知する報知手段を更に備える、請求項１乃至請求項３のいずれかに記載の音声記録装置。
【請求項５】
発光部を更に備え、
前記報知手段は、前記発光部を制御して前記照合結果に応じた発光色及び／又は点滅間隔で発光することを特徴とする、請求項４記載の音声記録装置。
【請求項６】
前記メモリには複数のフォルダが形成されており、
前記記録手段は、前記発信先情報に基づいて前記複数のフォルダのいずれかに割り当てることを特徴とする、請求項１乃至請求項５のいずれかに記載の音声記録装置。
【請求項７】
音声記録方法であって、
音声を集音し第１音声信号として出力する第１ステップと、
電話機と無線通信するための第２ステップと、
前記電話機との通信が確立している状態で、該電話機に着信が有ったときに発信先を示す発信先情報を該電話機から取得する第３ステップと、
前記電話機を介して発信先の音声に基づく第２音声信号を受信する第４ステップと、
前記電話機との通信が確立している状態で、録音指示を受け付ける第５ステップと、
前記録音指示に対応して前記第１音声信号に基づく第１データと前記第２音声信号に基づく第２データをメモリに記録する第６ステップとを備えることを特徴とする、音声記録方法。
【請求項８】
電話機と音声記録装置とが無線通信可能な音声記録システムであって、
前記音声記録装置は、
音声を集音し第１音声信号として出力するマイク手段と、
前記電話機と無線通信するための無線通信手段と、
前記電話機との通信が確立している状態で、該電話機に着信が有ったときに発信先を示す発信先情報を該電話機から取得する発信先情報取得手段と、
前記電話機を介して発信先の音声に基づく第２音声信号を受信する音声信号受信手段と、
前記電話機との通信が確立している状態で、録音指示を受け付ける録音指示受付手段と、
前記録音指示に対応して前記第１音声信号に基づく第１データと前記第２音声信号に基づく第２データをメモリに記録する記録手段を備えることを特徴とする、音声記録システム。
【発明の詳細な説明】
【技術分野】
【０００１】
本発明は、音声記録装置に関し、特に、電話機と無線通信を行う機能を備えた音声記録装置に関する。
【背景技術】
【０００２】
従来、Ｂｌｕｅｔｏｏｔｈ（登録商標）が搭載されたデジタル機器が発売されている。Ｂｌｕｅｔｏｏｔｈは、パーソナルコンピュータ、パーソナルコンピュータの周辺機器、デジタルカメラ及び携帯電話機などのデジタル機器に搭載され、該デジタル機器間を無線接続し、２．４ＧＨｚの周波数帯を用いてデータの送受信を行う近距離無線通信規格である。
【０００３】
さて、近年、Ｂｌｕｅｔｏｏｔｈが搭載されたステレオヘッドセットとして非特許文献１のワイヤレスステレオヘッドセットが挙げられる。
【非特許文献１】ソニーエリクソン  ワイヤレスステレオヘッドセット  ＭＷ６００  取扱説明書  （発売日  ２０１０年５月２１日）
【発明の開示】
【発明が解決しようとする課題】
【０００４】
従来のワイヤレスステレオヘッドセットは、Ｂｌｕｅｔｏｏｔｈを利用して、携帯電話機とペアリング処理を行った後に無線通信を行い、携帯電話機に記録されている音楽データをワイヤレスステレオヘッドセットが受信し、ワイヤレスステレオヘッドセットに装備されているイヤホンから音声を出力する。また、携帯電話機に着信が有ったとき、着信情報及び発信先の電話番号情報をワイヤレスステレオヘッドセットが受信する。使用者はワイヤレスステレオヘッドセットの通話ボタンを操作することによって、携帯電話機を介して発信先と通話を行う。このように、ワイヤレスステレオヘッドセットと携帯電話機のＢｌｕｅｔｏｏｔｈ機能を利用して、発信者との通話が出来る。
【０００５】
ここで、従来のワイヤレスステレオヘッドセットは、携帯電話機に記録されている音楽データを受信したり、携帯電話機に着信が有ったときにＢｌｕｅｔｏｏｔｈを利用して発信者と通話が出来るが、通話の内容を記録することが出来なかった。
【０００６】
例えば、宅配業者において、車の運転中に依頼者から着信が有ったときなどに、従来のワイヤレスステレオヘッドセットでは、携帯電話機を介して発信者との通話が出来るが、通話内容を覚えていないおそれがある。
【０００７】
本発明は上記の問題を解決するもので、この発明の目的の一つは、電話機と無線通信が可能な音声記録装置であって、使用者にとって所望の音声を記録することが出来る音声記録装置を提供するものである。
【課題を解決するための手段】
【０００８】
この発明のある局面によれば、音声を集音し第１音声信号として出力するマイク手段と、電話機と無線通信するための無線通信手段と、電話機との通信が確立している状態で、該電話機に着信があったときに発信先を示す発信先情報を該電話機から取得する発信先情報取得手段と、電話機を介して発信先の音声に基づく第２音声信号を受信する音声信号受信手段と、電話機との通信が確立している状態で、録音指示を受け付ける録音指示受付手段と、記録音指示に対応して第１音声信号に基づく第１データと前記第２音声信号に基づく第２データをメモリに記録する記録手段を備えることを特徴とする。
【０００９】
この局面に従えば、無線接続された電話機を介して発信先に基づくデータと、マイク手段からのデータをメモリに記録することが出来るため、特に例えば重要な通話内容を残しておくことが出来る。
【００１０】
好ましくは、記録手段は、第１データと第２データを発信先情報に関連付けてファイルとして記録する。
【００１１】
この局面に従えば、重要な通話内容を発信先情報に関連付けられて記録されるため、所望の通話記録の検索が容易となる。
【００１２】
好ましくは、電話機との通信が確立している状態で、電話機が保持する日時情報を取得する日時情報取得手段を更に備え、記録手段は、日時情報とファイルとを関連付けて記録する。
【００１３】
この局面に従えば、日時情報が通話記録と関連付けられているため、通話記録を条件を絞って検索が可能となるため、検索時間が短縮される。
【００１４】
好ましくは、電話機との通信が確立している状態で、該電話機が保持する複数の発信先情報を管理する電話帳を受信する電話帳受信手段、電話機に着信があったときに発信先情報取得手段から取得した発信先情報と電話帳に管理されている複数の発信先情報とを照合し、照合結果に応じた態様で報知する報知手段を更に備える。
【００１５】
この局面に従えば、電話機への着信時に発信先に応じて異なる態様で報知されるため、使用者は通話前に発信先の重要度を知ることが出来る。
【００１６】
好ましくは、発光部を更に備え、報知手段は、発光部を制御して照合結果に応じた発光色及び／又は点滅間隔で報知する。
【００１７】
この局面に従えば、電話機への着信時に、発光部が発信先に応じた発光色及び／又は点滅間隔で発光するため、使用者は通話前に発信先の重要度を詳細に知ることが出来る。
【００１８】
好ましくは、メモリには複数のフォルダが形成されており、記録手段は、発信先情報に基づいて複数のフォルダのいずれかに割り当てる。
【００１９】
この局面に従えば、通話内容が発信先に基づくフォルダに記録されるため、所望のファイルの検索が容易となる。
【発明の効果】
【００２０】
本発明の音声記録装置によれば、電話機と無線通信が可能な音声記録装置であって、使用者にとって所望の音声を記録することが出来る。
【図面の簡単な説明】
【００２１】
【図１】本発明の一実施例であるＩＣレコーダと携帯電話機の接続例を示す概念図である。
【図２】本発明の一実施例であるＩＣレコーダの回路構成の一部を示すブロック図である。
【図３】本発明の一実施例であるＩＣレコーダの動作の一部を示すフローチャートである。
【図４】本発明の一実施例であるＩＣレコーダの動作の一部の続きを示すフローチャートである。
【図５】本発明の一実施例であるＩＣレコーダの動作の他の一部を示すフローチャートである。
【図６】本発明の一実施例であるＩＣレコーダの動作の他の一部を示すフローチャートである。
【図７】本発明の一実施例である外部メモリカードのフォルダ構成の一部を示す図解図である。
【発明を実施するための最良の形態】
【００２２】
以下、本発明の音声記録装置の一実施例として、ＩＣレコーダに実施した形態につき、図面に沿って具体的に説明する。
【００２３】
本発明の一実施形態であるＩＣレコーダ（1）は、図１示す如く、スピーカ(36)、ＬＥＤ(16)、ディスプレイ(20)、通話ボタン(38)、操作部(40)及び録音ボタン(42)が配備された円柱状の上面体(4)と、マイクロフォン(10a)(10b)が配備された側面体(5)と、ＣＰＵ(32)を含む回路等が配備された底面体(6)で構成される。なお、図１ではマイクロフォン(10b)は図示されていない。ＩＣレコーダ（1）はＢｌｕｅｔｏｏｔｈ通信部（30）を備え、同じくＢｌｕｅｔｏｏｔｈ搭載機器である携帯電話機(2)とＢｌｕｅｔｏｏｔｈ接続を行う。ＩＣレコーダ(1)は少なくとも携帯電話機(2)と共に同じ種類のプロファイルを持ち、互いのプロファイルを認識してＢｌｕｅｔｏｏｔｈ接続を確立することが出来る。
【００２４】
本実施例においては、ＩＣレコーダ(1)と携帯電話機(2)は少なくとも以下のプロファイルを持つ。
・Ａｄｖａｎｃｅｄ  Ａｕｄｉｏ  Ｄｉｓｔｒｉｂｕｔｉｏｎ  Ｐｒｏｆｉｌｅ（Ａ２ＤＰ）
・Ａｕｄｉｏ／Ｖｉｄｅｏ  Ｒｅｍｏｔｅ  Ｃｏｎｔｒｏｌ  Ｐｒｏｆｉｌｅ（ＡＶＲＣＰ）
・Ｈａｎｄｓ−Ｆｒｅｅ  Ｐｒｏｆｉｌｅ（ＨＦＰ）
・Ｈｅａｄｓｅｔ  Ｐｒｏｆｉｌｅ（ＨＳＰ）
・Ｏｂｊｅｃｔ  Ｐｕｓｈ  Ｐｒｏｆｉｌｅ（ＯＰＰ）
・Ｓｅｒｖｉｃｅ  Ｄｉｓｃｏｖｅｒｙ  Ａｐｐｌｉｃａｔｉｏｎ  Ｐｒｏｆｉｌｅ（ＳＤＡＰ）
ＩＣレコーダ(1)は携帯電話機（2）とペアリング設定を行うことにより接続が確立される。本実施例では、ＩＣレコーダ(1)がサーバーの役割を果たし、携帯電話機(2)がクライアントの役割を果たす。具体的には、まず、ＩＣレコーダ(1)を検索モードに設定し、携帯電話機(2)を探索モードに設定することによって、ＩＣレコーダ(1)と携帯電話機(2)は互いを認識する。次にＩＣレコーダ(1)は携帯電話機(2)に対し識別コードを発行する。携帯電話機(2)は、識別コードを受信し、記憶及び保持をする。このように、ＩＣレコーダ(1)及び携帯電話機(2)は、同じ識別コードを共有することによりペアリング状態となる。
【００２５】
なお、一度ペアリング設定が行われると、次回以降の接続に際して再度ペアリング設定を行う必要はなく、互いに通信可能距離内に接近すると、自動的に接続を始める。本実施例では、ＩＣレコーダ(1)と携帯電話機(2)は、ペアリング設定済みとして説明をする。
【００２６】
図１に示すように、ＩＣレコーダ(1)と携帯電話機(2)がＢｌｕｅｔｏｏｔｈ接続され、公衆電話網などを介した外部の携帯電話機(3)からの発信を携帯電話機(2)が受け、通話可能状態に移行すると、ＩＣレコーダ(1)は携帯電話機(2)を介して、携帯電話機(3)との通話を行う。
【００２７】
まず、ＩＣレコーダ(1)と携帯電話機(2)が無線接続されると、ＩＣレコーダ(1)は、携帯電話機(2)の電話帳データを取得し（プロファイル：ＯＰＰを使用）、一時保存する。ＩＣレコーダ(1)は、無線接続中は携帯電話機(2)を監視し、携帯電話機(2)に着信が有ったことを検出すると、携帯電話機(2)を介して発信先である携帯電話機(3)の電話番号情報を取得する（プロファイル：ＨＦＰを使用）。そして、ＩＣレコーダ(1)は、一時保存されている電話帳データと電話番号情報との照合を行い、称号結果に応じた態様で、ＬＥＤ(16)及び／又はディスプレイ(20)及び／又はスピーカ(36)を介して使用者へ報知する。
【００２８】
携帯電話機(2)の着信中に、通話ボタン(38)が押下されることにより、ＩＣレコーダ(1)と携帯電話機(3)との携帯電話機(2)を介した通話が開始される。ＩＣレコーダ(1)のマイクロフォン(10)から入力される音声をデジタル音声信号としてＢｌｕｅｔｏｏｔｈ通信部(30)から携帯電話機(2)へ送り、携帯電話機(2)を介して携帯電話機(3)へデジタル音声信号を送る。また、Ｂｌｕｅｔｏｏｔｈ通信部(30)を制御して携帯電話機(2)を介して携帯電話機(3)からのデジタル音声信号を取得する。このようにして、ＩＣレコーダ(1)と携帯電話機(3)間の通話が行われる。
【００２９】
更に、通話中に録音ボタン(42)が押下されることにより、通話内容データ（マイクロフォン(10)からのデジタル音声信号と携帯電話機(2)から取得したデジタル音声信号）を、取得した電話番号情報と関連付けて記録する。
【００３０】
次に、本実施例のＩＣレコーダ(1)の電気的な構成を図２を参照して説明する。
【００３１】
ＩＣレコーダ（1）は、ステレオマイク（10）を構成する無指向性マイクロフォン（10a）(10b)を含む。マイクロフォン（10a）(10b)で集音された音声は、アナログ音声信号として出力され、マイクロフォン（10a）(10b)に接続されるコーデック（12）へ入力される。コーデック（12）は、入力されたアナログ音声信号をデジタル音声信号に変換し、所定のデジタル処理を施す。
【００３２】
ＩＣレコーダ（1）の全体を制御するＣＰＵ（32）はバス（14）と接続されており、コーデック（12）でデジタル処理が施されたデジタル音声信号をＳＤＲＡＭ（28）へ一旦格納させる。マイクロフォン(10)から入力された音声がデジタル音声信号としてＳＤＲＡＭ(28)へ格納されるまでの処理を音声データ化処理と定義する。
【００３３】
バス（14）には、コーデック（12）、ＬＥＤ(16)、フラッシュメモリ(18)、ディスプレイ(20)、ＤＳＰ（Digital Signal Processor)(22）、外部メモリコントローラ（24）、ＳＤＲＡＭ(28)、Ｂｌｕｅｔｏｏｔｈ通信部(30)及びＣＰＵ(32)が接続されており、フラッシュメモリ（18）には、ＣＰＵ（32）が実行するプログラム、及び該プログラムを実行するためのパラメータ等が記憶されている。
【００３４】
また、通話ボタン(38)、操作部（40）及び録音ボタン（42）は、ＣＰＵ（42）と接続されており、プログラムを用いてＣＰＵ(42)は通話ボタン(38)、操作部（40）及び録音ボタン（42）の操作に応じた処理を実行する。
【００３５】
さて、通常モードにおいて録音ボタン(42)が押下されると、録音を開始する。具体的には、ＣＰＵ(32)は音声データ化処理を実行した後、ＳＤＲＡＭ（28）に一旦格納されたデジタル音声信号を、ＤＳＰ（22）へ出力する。ＤＳＰ（22）は、入力されたデジタル音声信号に対してＭＰ３形式で圧縮処理を施し、ＳＤＲＡＭ（28）へＭＰ３音声圧縮データとして一旦格納する。そして、ＣＰＵ（342）は外部メモリコントローラ（24）を制御して、ＳＤＲＡＭ（28）に格納されているＭＰ３音声圧縮データを音声ファイルとして外部メモリカード（26）へ記録する。なお、ファイル形式としてＰＣＭ方式が採用されても良い。その場合は、ＤＳＰ（22）における圧縮処理が不要となる。
【００３６】
ここで、上述したように、ＩＣレコーダ(1)と携帯電話機(2)とのＢｌｕｅｔｏｏｔｈ接続が確立されると、ＩＣレコーダ(1)はＢｌｕｅｔｏｏｔｈ通信部(30)を介して、携帯電話機(2)に保存されている電話帳データを取得する。Ｂｌｕｅｔｏｏｔｈ通信部（30）では、規格に合わせた無線通信を行うための通信制御を行う。
【００３７】
電話帳データには、少なくとも電話番号と、電話番号と紐付けされた発信者の名前及び重要度が含まれる。そして、Ｂｌｕｅｔｏｏｔｈ接続が確立されている状態で、携帯電話機(2)へ着信が有ると、Ｂｌｕｅｔｏｏｔｈ通信部(30)を制御して、携帯電話機(2)から着信情報と発信先の電話番号情報を取得する。ＣＰＵ(32)は、取得した電話帳データと電話番号情報に含まれる電話番号とを照合して、照合結果に応じた報知を行う。以下に報知方法について説明する。
【００３８】
該電話番号が電話帳データの中に存在する場合、電話番号と紐付けされている名前をディスプレイ(20)に表示する。そして、電話番号と紐付けされた重要度に応じて、ＬＥＤ(16)を制御する。重要度が高ければＬＥＤ(16)の点滅速度を速くして、重要度が低ければＬＥＤ(16)を点灯させない。更に重要度が高ければＬＥＤ(16)を赤く発光させ、重要度が低くなるにつれて青く発光させてもよい。ここで、発信先の電話番号が電話帳データの中に存在しない場合には、ディスプレイ(20)に電話番号を表示させる。ＣＰＵ(32)は、ディスプレイ(20)に表示される名前又は電話番号をＳＤＲＡＭ(28)に格納する。
【００３９】
また、ＣＰＵ(32)は、発信者の電話番号及び／又は重要度に応じて、フラッシュメモリ(18)に格納されている音声データを取り出し、コーデック(12)へ出力する。コーデック(12)は、音声データを処理してアナログ再生信号としてアンプ(34)へ出力する。アンプ(34)では、アナログ再生信号に対してゲイン調整を行った後、スピーカ(36)へ出力し、スピーカ(36)はアナログ再生信号を音声として出力する。このようにして、発信先に応じて着信音を異ならして出力することが可能である。なお、ＣＰＵ(32)は携帯電話機(2)の着信が終わるまで、着信情報を取得し続ける。着信情報が途絶えた時点で、上記ＬＥＤ(16)、ディスプレイ(20)及び着信音の出力を終了させる。
【００４０】
次に、Ｂｌｕｅｔｏｏｔｈ接続が確立されている状態で携帯電話機(2)の着信が有り、通話ボタン(38)が押下されることにより通話オン操作がＣＰＵ(32)によって検出されると、携帯電話機(2)を介して携帯電話機(3)とＩＣレコーダ(1)間で通話が行われる。更に、ＩＣレコーダ(1)は通話中に通話内容の録音が可能である。以下に、通話方法及び録音方法について説明する。
【００４１】
ＣＰＵ(32)は、通話ボタン(38)の押下を検出すると、Ｂｌｕｅｔｏｏｔｈ通信部(30)を制御して、Ｂｌｕｅｔｏｏｔｈ通信部(30)によって携帯電話機(2)と携帯電話機(3)を通話状態にせしめ、携帯電話機(3)から発信者のデジタル音声信号を受信する。受信したデジタル音声信号はコーデック(12)及びアンプ(34)にて所定処理がなされ、スピーカ(36)から音声が出力される。また、受信と並列してマイクロフォン(10)をオン状態にさせて、音声を取り込む。マイクロフォン(10)から出力されたアナログ音声信号は、コーデック(12)にてアナログ音声信号をデジタル音声信号に変換し、所定の処理を施す。そして、Ｂｌｕｅｔｏｏｔｈ通信部(30)を制御して、デジタル音声信号を通話用音声信号へ変換して携帯電話機(2)へ送信し、携帯電話機(2)は携帯電話機(3)へ送信することによって、発信先との通話が行われる。
【００４２】
ＣＰＵ(42)は、発信先との通話中に録音ボタン(42)が押下されることにより、録音操作が有ったことを検出すると、外部メモリコントローラ(24)を制御して、外部メモリカード(26)内にファイル名としてデフォルト名を採用した録音用ファイルの新たにオープンさせる。そして、受信した発信者からのデジタル音声信号と、マイクロフォン(10)に基づくデジタル音声信号をＳＤＲＡＭ(28)へ一旦格納し、ＤＳＰ(22)へ出力して圧縮処理を施す。そして、圧縮音声データとしてＳＤＲＡＭ(28)へ一旦格納させた後に録音用ファイルに格納する。録音ボタン(42)が再度押下されることにより、録音終了操作が有ったことを検出すると、録音用ファイルをクローズさせ、デフォルト名を発信者の名前又は電話番号に書き換える。こうして、通話中において、発信者及び受信者双方のデジタル音声信号が外部メモリカード(26)にファイルとして格納可能であると共に、格納されたファイル名は、発信先の名前又は電話番号に基づくものとなる。その結果、所望のファイルが検索容易となる。更に録音操作時又は録音終了時に携帯電話機(2)から日時情報を取得し、ファイル名として発信先の名前又は電話番号に日時を追加してもよい。又は、ファイルのインデックス情報として管理することも可能である。
【００４３】
通話ボタン(38)が再度押下されることにより、ＣＰＵ(32)が通話終了操作を検出すると、マイクロフォン(10)をオフ状態にさせると共に、Ｂｌｕｅｔｏｏｔｈ通信部(30)を制御して、携帯電話機(2)を介したＩＣレコーダ(1)と携帯電話機(3)間の通話を終了させる。
【００４４】
次に図３−図６に示すメインタスク、サブタスク１（報知処理タスク）及びサブタスク２（通話録音処理タスク）のフローチャートを参照して、上述した処理を説明する。これらの処理は、フラッシュメモリ(18)に格納されている夫々のプログラムをＣＰＵ(32)が実行することにより、実現される。
【００４５】
まず、メインタスクについて図３及び図４を参照して説明する。
【００４６】
ＩＣレコーダ(1)に電源が投入されると、ＣＰＵ(42)はステップＳ１０１において、自身が検出モードオン状態か否かを判別する。ＹＥＳと判別されるまでステップＳ１０１を繰り返し実行し、ＹＥＳと判別されるとステップＳ１０３へ進む。ステップＳ１０３では、クライアント（携帯電話機(2)）が検出出来たか否かを判別する。ＹＥＳと判別されるまでステップＳ１０３を繰り返し、ＹＥＳと判別されるとステップＳ１０５へ進む。ステップＳ１０５では、クライアントとの無線接続が完了したか否かを判別する。ＹＥＳと判別されるまでステップＳ１０５を繰り返し、ＹＥＳと判別されるとステップＳ１０７へ進む。
【００４７】
ステップＳ１０７では、クライアントから電話帳データを取得し、ＳＤＲＡＭ(28)へ一旦格納する。そしてステップＳ１０９へ進み、クライアントの着信の監視を開始し、ステップＳ１１１へ進む。ステップＳ１１１では、クライアントの着信が有ったか否かを着信情報に基づいて判別し、ＮＯと判別するとステップＳ１１３へ進む。ステップＳ１１３では、他の操作が有ったか否かを判別し、ＮＯと判別されるとステップＳ１１１へ戻り、ＹＥＳと判別されるとステップＳ１１５へ進む。ステップＳ１１５では、他の操作が電源オフ操作であるか否かを判別し、ＹＥＳと判別されるとステップＳ１１７へ進み、ＳＤＲＡＭ(28)に格納されている電話帳データを消去して、メインタスクを終了する。ステップＳ１１５において、ＮＯと判別されると、ステップＳ１３１へ進む。
【００４８】
ステップＳ１１１においてＹＥＳと判別されるとステップＳ１１９へ進み、サブタスク１（報知処理タスク）を起動させる。サブタスク１の説明は後述する。次にステップＳ１２１へ進み、通話オン操作が有ったか否かを判別する。ここでＮＯと判別されると、ステップＳ１２７へ進み、クライアントの着信が無くなったか否かを着信情報に基づいて判別する。ステップＳ１２７において、ＮＯと判別されるとステップＳ１２１へ戻り、ＹＥＳと判別されるとステップＳ１２９へ進む。ステップＳ１２９では、報知を終了させ、ステップＳ１１１へ戻る。
【００４９】
ステップＳ１２１において、ＹＥＳと判別されると、ステップＳ１２３へ進み、報知を終了させ、ステップＳ１２５へ進む。ステップＳ１２５ではサブタスク２（通話録音処理タスク）を起動させ、ステップＳ１１１へ戻る。サブタスク２の説明は後述する。
【００５０】
さて、ステップＳ１１５においてＮＯと判別されると、ステップ１３１へ進み、操作に応じた処理を開始する。例えば、操作部(40)において再生操作がなされると、再生処理を開始する。次にステップＳ１３３へ進み、ステップＳ１３１で開始された処理が終了したか否かを判別する。ステップＳ１３３でＹＥＳと判別されるとステップＳ１１１へ戻り、ＮＯと判別されるとステップＳ１３５へ進む。
【００５１】
ステップＳ１３５では、クライアントの着信が有ったか否かを着信情報に基づいて判別し、ＮＯと判別されるとステップＳ１３３へ戻り、ＹＥＳと判別されるとステップＳ１３７へ進む。ステップＳ１３７では、ステップＳ１３１で開始した処理を中断させる。次にステップＳ１３９へ進み、サブタスク１を起動する。
【００５２】
そしてステップＳ１４１へ進み、通話オン操作が有ったか否かを判別する。ステップＳ１４１においてＮＯと判別されると、ステップＳ１４３へ進みクライアントの着信が無くなったか否かを判別する。ステップＳ１４３においてＮＯと判別されるとステップＳ１４１へ戻り、ＹＥＳと判別されるとステップＳ１４５へ進む。ステップＳ１４５では、報知を終了しステップＳ１５１へ進む。
【００５３】
ステップＳ１４１でＹＥＳと判別されると、ステップＳ１４７へ進み報知を終了する。そしてステップＳ１４９へ進み、サブタスク２（通話録音処理）を起動してステップＳ１５１へ進む。ステップＳ１５１では、ステップＳ１３７で中断された処理を再開する。
【００５４】
次に、サブタスク１（報知処理タスク）について、図５を参照して説明する。
【００５５】
メインタスクにより起動されると、ステップＳ２０１において、クライアントから発信先の電話番号情報を取得する。次にステップＳ２０３へ進み、ＳＤＲＡＭ(28)に一時的に格納されている電話帳データと、取得した電話番号情報を照合する。次にステップＳ２０５へ進み、報知を開始してサブタスク１を終了する。具体的には、照合結果に応じて、ＬＥＤ(16)の制御及び、ディスプレイ(20)に発信先（携帯電話機(3)）の電話番号又は名前を表示する。
【００５６】
次に、サブタスク２（通話録音処理タスク）について、図６を参照して説明する。
【００５７】
メインタスクにより起動されると、ＣＰＵ(32)はステップＳ３０１においてマイクロフォン(10)から音声を取り込める状態、すなわちオン状態させる。次にステップＳ３０３へ進み、Ｂｌｕｅｔｏｏｔｈ通信部(30)を制御して、クライアント（携帯電話機(2)）を介して発信者との通話開始する。具体的には、クライアントを介して発信先の音声に基づくデジタル音声信号を取得し、スピーカから音声出力を開始する。
【００５８】
次にステップＳ３０５へ進み、録音操作が有ったか否かを判別する。ステップＳ３０５においてＮＯと判別されると、ステップＳ３０７へ進み、通話終了操作が有ったか否かを判別する。ここで、ＮＯと判別されるとステップＳ３０５へ戻り、ＹＥＳと判別されるとステップＳ３１７へ進む。
【００５９】
また、ステップＳ３０５においてＹＥＳと判別されると、ステップＳ３０９へ進み、ファイル名としてデフォルト名を仮に付与して録音用ファイルを新たにオープンする。次に、ステップＳ３１１へ進み、ＤＳＰ(22)を制御して、受信した発信先からのデジタル音声信号と、マイクロフォン(10)に基づくデジタル音声信号を圧縮処理して、オープンしたファイルに格納する。そして、ステップＳ３１３へ進み、録音終了操作が有ったか否かを判別する。ステップＳ３１３においてＹＥＳと判別されるまで判別を繰り返し、ＹＥＳと判別されると、ステップＳ３１５へ進む。
【００６０】
ステップＳ３１５では、録音用ファイルをクローズさせ、デフォルト名を発信先の名前又は電話番号に書き換える。次に、ステップＳ３０７へ進み、通話処理操作が有ったか否かを判別し、ＹＥＳと判別されるとステップＳ３１７へ進む。ステップＳ３１７では、マイクロフォン(10)をオフ状態にし、Ｂｌｕｅｔｏｏｔｈ通信部(30)を制御して、クライアントを介した発信先との通話を終了する。具体的には、クライアントを介して発信先の音声に基づくデジタル音声データの取得を終了する。これでサブタスク２を終了する。
【００６１】
なお、本実施例においては、通話を録音したファイル名を発信先の名前又は電話番号を含めるようにしているが、図７に示すように外部メモリカード内を通話フォルダ、音声フォルダ、ＭＵＳＩＣフォルダなどのようにツリー状に構成して、通話を録音したファイルを通話フォルダに格納するようにしても良い。更に通話フォルダ内にサブフォルダを設け、発信先の名前又は電話番号毎にフォルダ分けをしても良い。
【００６２】
また、本実施例では、電話機と音声記録装置間においてデジタル音声信号の送受信が行われているが、デジタル音声信号を含む動画でもよい。その場合、本実施例のシステムはテレビ電話としても利用することが出来る。
【００６３】
また、本実施例では、発信者である携帯電話機(3)と受信者である携帯電話機(2)間を公衆電話網を利用することとして説明しているが、携帯電話機ではなく固定電話機でも良い。
【００６４】
また、本実施例では、ＩＣレコーダ(1)と携帯電話機(2)間をＢｌｕｅｔｏｏｔｈ接続することとして説明しているが、両者間を近距離ワイヤレス技術であるＺｉｇＢｅｅ（登録商標）接続してもよく、接続のプロトコルは実施例に限定されない。
【００６５】
また、本実施例では、通話ボタン(38)と録音ボタン(42)を別々に設け、通話中に録音ボタン(42)を押下することにより通話内容の記録を行うが、録音ボタン(42)を設けずに通話ボタン(38)に録音ボタン機能を持たせても良い。その際、通話開始と同時に通話内容を記録しても良いし、通話中に再度通話ボタン(38)を押下することにより通話内容の記録を開始しても良い。
【符号の説明】
【００６６】
１        ・・・  ＩＣレコーダ
２        ・・・  携帯電話機
３        ・・・  携帯電話機
１０      ・・・  マイクロフォン
１０ａ    ・・・  マイクロフォン
１０ｂ    ・・・  マイクロフォン
１２      ・・・  コーデック
２２      ・・・  ＤＳＰ
２４      ・・・  外部メモリコントローラ
２６      ・・・  外部メモリカード
２８      ・・・  ＳＤＲＡＭ
３０      ・・・  Ｂｌｕｅｔｏｏｔｈ通信部
３２      ・・・  ＣＰＵ
４２      ・・・  録音ボタン
【図１】
2014090221.tif 000003
【図２】
2014090221.tif 000004
【図３】
2014090221.tif 000005
【図４】
2014090221.tif 000006
【図５】
2014090221.tif 000007
【図６】
2014090221.tif 000008
【図７】
2014090221.tif 000009